(57)【要約】  【課題】従来一般的に光源を目立ちにくくするため、光源とランプカバーとの距離を大きく取っていたが、この構成は庫内容積を減少させるだけでなく、収納物の取出し性や照度の均一性が保ちにくいという課題が生じていた。  【解決手段】庫内両側面の内壁凹部に庫内照明７を設け、庫内照明７のカバーを、照射光を庫内に拡散させる第一のランプカバー部１２と、第一のランプカバー部と異なる拡散性を有する第二のランプカバー部１３とで構成し、庫内照射部と光源暈し部とを区別して、照射効果を発揮する構成とした収納庫を提供することができる。【選択図】図３
2008075935.tif 000002
【特許請求の範囲】
【請求項１】
収納物を照射する庫内照明を備え、前記庫内照明のカバーを、照射光を庫内に拡散または透過させる第一のランプカバー部と、前記第一のランプカバー部と異なる拡散性を有する第二のランプカバー部とで構成した収納庫。
【請求項２】
収納物を照射する庫内照明を備え、前記庫内照明のカバーを、照射光を庫内に拡散または透過させる第一のランプカバー部と、前記庫内照明の照射光を遮断する第二のランプカバー部とで構成した収納庫。
【請求項３】
前記第一のランプカバー部及び前記第二のランプカバー部は、エポキシ、アクリル、ポリカーボネート、ポリエチレン、ポリスチレン、ポリプロピレン、ＡＢＳなどの樹脂のうち、一つの材料もしくは複合材料をベース材として形成することとした請求項１または請求項２に記載の収納庫。
【請求項４】
前記第一のランプカバー部と前記第二のランプカバー部とを一体化構成した請求項１から請求項３のいずれか一項に記載の収納庫。
【請求項５】
前記第二のランプカバー部を内壁で構成した請求項２または請求項３に記載の収納庫。
【発明の詳細な説明】
【技術分野】
【０００１】
本発明は、収納物を照射する庫内照明を備えた収納庫に関するものである。
【背景技術】
【０００２】
通常、収納庫の庫内照明は電球やＬＥＤを光源とし、拡散性とデザイン性を考慮して加工された樹脂のランプカバーによって覆われている。
【０００３】
このランプカバーには、拡散性を高めることと同時に一般的に一定の光源照度で庫内への拡散性を増やすと照度が落ちるが、相反する光量と拡散性を両立することが求められ、且つデザイン的には使用者から光源、ソケット、基板、配線等が視認できない工夫がなされていることが望ましい。
【０００４】
従来の庫内照明を設けた収納庫としては、前面に開閉扉を設けた冷蔵庫において、開閉扉に近い側で天井に庫内照明を設けたものがある（例えば、特許文献１参照）。
【０００５】
図６は特許文献１に記載された従来の冷蔵庫の側面断面図を示すものである。
【０００６】
図６において、冷蔵庫本体１０１は、外箱，内箱間に発泡断熱材を充填して構成される。冷凍室１０２は冷蔵庫本体１０１内に設けられた一室で、前面に冷凍室扉１０３を備え、冷気ダクト１０４を冷凍室１０２の天井部に設けている。この冷気ダクト１０４は庫内天井の中央部にほぼ扁平な直方体状に構成されている。
【０００７】
ランプ１０５は、冷気ダクト１０４内前方の、冷凍室扉１０３に近い部分に設けられており、ランプケース１０６およびランプカバー１０７で覆われている。ランプケース１０６は、冷蔵庫本体１０１の上部の内箱に埋め込むように配設されてランプ空間を確保するものである。また、ランプカバー１０７は、ランプ１０５を覆っている乳白色の樹脂製のもので、冷気ダクト１０４の前端部に取付けられている。
【０００８】
ランプ１０５が点灯されると、昼光色ないし白色の光がランプカバー１０７を透過して庫内を照らす。ランプカバー１０７は、凸曲面の円盤状のもので庫内に出っ張った形であり光が有効に拡散される。
【特許文献１】特開平４−８４０９３号公報
【発明の開示】
【発明が解決しようとする課題】
【０００９】
しかしながら、上記従来の構成では、庫内照明の光源、ソケット、基板、配線等が使用者から視認出来ないように、ある程度の拡散性を確保しランプカバー表面をぼやけさせるため、庫内に突出した凸面状円盤部ランプカバーを設け、光源とランプカバーとの距離を大きく取っている。この距離は、例えばＬＥＤのように光源の指向性が強くなるほど大きくする必要がある。このような、ランプカバーを庫内に突出させる構成は庫内容積を減少させるだけでなく、収納物の取出し性や清掃性の悪化という課題を生む。
【００１０】
光源とランプカバーとの距離を近接させたまま、庫内照明の光源、ソケット、基板、配線等が使用者から視認出来ないようにするためには、ランプカバーの拡散能力を著しく上げるしかなく、この際には同時に庫内照明の光量がランプカバーによって大きく減衰してしまう。
【００１１】
本発明は、上記従来の課題を解決するもので、光源とランプカバーとの距離を近接させたまま、庫内照明の光源、ソケット、基板、配線等が使用者から視認出来ないランプカバーを備えた収納庫を提供するものである。
【課題を解決するための手段】
【００１２】
上記従来の課題を解決するために、本発明の収納庫は、収納物を照射する庫内照明を備え、庫内照明のカバーを、照射光を庫内に拡散または透過させる第一のランプカバー部と、第一のランプカバー部と異なる拡散性を有する第二のランプカバー部とで構成したものである。
【００１３】
これによって、庫内照明は第一のランプカバー部を通して庫内を拡散または透過照射し、また、拡散性をより向上させた第二のランプカバー部を使用者から光源、ソケット、基板、配線等が死角になるように配置し、視認出来なくする。
【００１４】
また、本発明の収納庫は、収納物を照射する庫内照明を備え、庫内照明のカバーを、照射光を庫内に拡散または透過させる第一のランプカバー部と、庫内照明の照射光を遮断する第二のランプカバー部とで構成したものである。
【００１５】
これによって、庫内照明は第一のランプカバー部を通して庫内を拡散または透過照射し、また、照射光を完全に遮断する第二のランプカバー部を使用者から光源、ソケット、基板、配線等が死角になるように配置し、より確実に視認出来なくする。
【００１６】
また、本発明の収納庫は、第一のランプカバー部及び第二のランプカバー部を、エポキシ、アクリル、ポリカーボネート、ポリエチレン、ポリスチレン、ポリプロピレン、ＡＢＳなどの樹脂のうち、一つの材料もしくは複合材料をベース材として形成したものである。
【００１７】
これによって、ランプカバーは金型成形が可能となり、自由な形状に加工することができる。
【００１８】
また、本発明の収納庫は、第一のランプカバー部と第二のランプカバー部とを一体化構成したものである。
【００１９】
これによって、一部品にまとめることが出来、ランプカバーの取り付け工数を減少することができる。
【００２０】
また、本発明の収納庫は、照射光を完全に遮断する第二のランプカバー部を設ける構成において、第二のランプカバー部を内壁で構成したものである。
【００２１】
これによって、複雑な構造のランプカバーが必要無くなり、より簡易な構成が実現できる。
【発明の効果】
【００２２】
本発明の収納庫は、光源とランプカバーとの距離を近接させたまま、庫内照明の光源、ソケット、基板、配線等が使用者から視認出来ないランプカバーを提供し、本来拡散させる為にはカバーとのスペースが必要であるが本件は最小限のスペースで有効内容積を確保し最適な拡散性により天井による光源により発生する陰影部もなく庫内全域で照度を確保し、庫内への出っ張りのないスッキリ感、あるいは光源や基板等を識別できにくくするスッキリしたデザイン性を実現することができる。
【発明を実施するための最良の形態】
【００２３】
請求項１に記載の発明は、収納物を照射する庫内照明を備え、前記庫内照明のカバーを、照射光を庫内に拡散または透過させる第一のランプカバー部と、前記第一のランプカバー部と異なる拡散性を有する第二のランプカバー部とで構成したものであり、庫内照明は第一のランプカバー部を通して庫内を拡散または透過照射し、また、拡散性を著しく向上させた第二のランプカバー部を使用者から光源を遮る位置に設けることによって、庫内を拡散照射すると同時に、使用者から光源、ソケット、基板、配線等を視認出来なくすることができる。
【００２４】
請求項２に記載の発明は、収納物を照射する庫内照明を備え、前記庫内照明のカバーを、照射光を庫内に拡散または透過させる第一のランプカバー部と、前記庫内照明の照射光を遮断する第二のランプカバー部とで構成したものであり、庫内照明は第一のランプカバー部を通して庫内を拡散または透過照射し、また、照射光を完全に遮断する第二のランプカバー部を使用者から光源を遮る位置に設けることによって、庫内を拡散照射すると同時に、使用者から光源、ソケット、基板、配線等をより確実に視認出来なくすることができる。
【００２５】
請求項３に記載の発明は、請求項１または請求項２に記載の発明において、前記第一のランプカバー部及び前記第二のランプカバー部は、エポキシ、アクリル、ポリカーボネート、ポリエチレン、ポリスチレン、ポリプロピレン，ＡＢＳなどの樹脂のうち、一つの材料もしくは複合材料をベース材として形成することとしたものであり、ランプカバーを自由な形状に成型加工できることによって、容易な取り付け設計が可能になり、庫内の最適な位置に庫内照明を設置することができる。
【００２６】
請求項４に記載の発明は、請求項１から請求項３のいずれか一項に記載の発明において、前記第一のランプカバー部と前記第二のランプカバー部とを一体化構成したものであり、それぞれを別々に組み込む作業を無くすことによって、ランプカバーの取り付け工数を減少することができる。
【００２７】
請求項５に記載の発明は、請求項２または請求項３に記載の発明において、前記第二のランプカバー部を内壁で構成したものであり、内壁を使用者から光源を遮るように加工することによって、複雑な構造のランプカバーが必要無くなり、より簡易な構成を実現することができる。
【００２８】
以下、本発明の実施の形態について、図面を参照しながら説明するが、従来例または先に説明した実施の形態と同一構成については同一符号を付して、その詳細な説明は省略する。尚、この実施の形態によってこの発明が限定されるものではない。
【００２９】
（実施の形態１）
図１は、本発明の実施の形態１における収納庫の平面断面図、図２は本発明の実施の形態１における収納庫の縦断面図（図１のＡ−Ａ線断面図）、図３は本発明の実施の形態１における収納庫の扉を開けた状態の平面断面図である。
【００３０】
図１から図３において、収納庫は外壁１と内壁２の間に断熱材３ａを注入した断熱壁４と、同様に外壁５に断熱材３ｂを注入した扉６によって周囲と断熱して構成された冷蔵庫の一室の様態をなし、断熱壁４の庫内左右には庫内照明７が埋設されている。本実施の形態において、この庫内照明７は白色ＬＥＤを光源８として基板９上に実装したものとする。
【００３１】
白色ＬＥＤの光源８は縦長の基板９上に縦列に複数配置され、庫内の各収納棚１０上を満遍なく照射することができる。
【００３２】
また、庫内照明７は断熱壁４の左右でも扉６に近い側に設置され、庫内奥に向けてある程度の角度を設けている。これは、なるべく使用者１１に近い側から奥方向を照射することによって、使用者１１にとって目的の物が見やすく、影の目立たない照射方法である。
【００３３】
断熱壁４に埋設された庫内照明７は、一体成型された第一のランプカバー部１２と第二のランプカバー部１３によって覆われている。これらを、エポキシ、アクリル、ポリカーボネート、ポリエチレン、ポリスチレン、ポリプロピレンＡＢＳなどの樹脂のうち、一つの材料もしくは複合材料をベース材として形成することにより、第一のランプカバー部１２及び第二のランプカバー部１３を自由な形状に成型加工できるので、容易な取り付け設計が可能になり、庫内の最適な任意の位置に庫内照明７が設置できる。
【００３４】
第一のランプカバー部１２は庫内照明７の照射光を収納庫内に拡散または透過照射することを目的としており、拡散性と透過性を両立させた構成となっている。この第一のランプカバー部１２を通過した照射光は照射領域１４を照射する。
【００３５】
この第一のランプカバー部１２の拡散または透過性は、使用者１１から、第一のランプカバー部１２の表面が面状に発光しているように見える程度まで上げても良いし、庫内照明７が第一のランプカバー部１２の表面上に斑状に見える程度に留めても良い。
【００３６】
また、第二のランプカバー部１３は、拡散性を著しく高めて構成し、使用者１１から庫内照明７や基板９が視認できないようにすることを目的とする。庫内照明７や基板９が使用者１１から視認できることで、デザイン性を著しく低下させるからである。本実施の形態のように、指向性の強いＬＥＤを光源８として用いた場合は、特に庫内照明７が見え易く大きな課題となっていた。
【００３７】
よって、第二のランプカバー部１３の拡散性を著しく高めて第二のランプカバー部１３の表面を拡散光によってぼやけさせ、また、これを使用者１１から庫内照明７を遮る位置に設けることによって、この奥の光源８や基板９等を使用者１１が視認できなくする。
【００３８】
この第二のランプカバー部１３の拡散性は、使用者１１から光源８や基板９等を見えなくする程度まで上げるものとしているが、デザイン性を高めるためであれば、光源８が第二のランプカバー部１３の表面上に斑状に見える程度に留めても良い。
【００３９】
例えば、第一のランプカバー部１２と第二のランプカバー部１３との境界と、使用者１１とを結んだラインを視認境界線１５とする。使用者１１は視認境界線１５の第二のランプカバー部１３側の奥を透過して見ることができず、この領域に含まれる庫内照明７や基板９を視認できない。また、視認境界線１５の第一のランプカバー部１２側の奥はある程度透過して見ることができるが、この領域には内壁２以外は存在せず特に問題は無い。
【００４０】
すなわち、照射領域１４より手前であれば使用者１１から庫内照明７や基板９を視認出来ないと判断できる。
【００４１】
また、本実施の形態では第二のランプカバー部１３を拡散性の著しく高い構成としているが、これを照射光を完全に遮断する透過性の無いものとしても良い。
【００４２】
以上のように、本実施の形態においては、収納物を照射する庫内照明７を備え、庫内照明７のカバーを、照射光を庫内に拡散させる第一のランプカバー部１２と、第一のランプカバー部１２と異なる拡散性を有する第二のランプカバー部１３とで構成したものであり、庫内照明７は第一のランプカバー部１２を通して庫内を拡散または透過照射し、また、拡散性を著しく向上させた第二のランプカバー部１３を使用者から光源を遮る位置に設けることによって、庫内を拡散照射すると同時に、使用者から光源８、ソケット、基板９、配線等を視認出来なくすることができる。
【００４３】
また、本実施の形態の第二のランプカバー部１３を照射光を完全に遮断する透過性の無いものとしても良い。
【００４４】
また、本実施の形態の第一のランプカバー部１２及び第二のランプカバー部１３を、エポキシ、アクリル、ポリカーボネート、ポリエチレン、ポリスチレン、ポリプロピレン、ＡＢＳなどの樹脂のうち、一つの材料もしくは複合材料をベース材として形成することにより、ランプカバーを自由な形状に成型加工でき、容易な取り付け設計が可能になり、庫内の最適な位置に庫内照明７を設置することができる。
【００４５】
また、本実施の形態の第一のランプカバー部１２と第二のランプカバー部１３とを一体化構成し、それぞれを別々に組み込む作業を無くすことによって、ランプカバーの取り付け工数を減少することができる。
【００４６】
（実施の形態２）
図４、図５は本発明の実施の形態２における収納庫の平面断面図である。
【００４７】
図４において、遮蔽部１６は内箱２の一部を延長または追加させて、また、図５はランプケース１７を延長して一体成形し構成する方法あるいは、ランプケース１７の端部を一体ヒンジ機構で折曲して遮蔽効果を発揮する方法も含まれ、このような種々の方法で実施の形態１における第二のランプカバー部１３の役割を担わせている。
【００４８】
これによって、第一のランプカバー部１２によって庫内を拡散または透過照射すると同時に、遮蔽部１６によって使用者１１からの死角を作り出し、光源８、ソケット、基板、配線等を視認出来なくすることができる。
【００４９】
以上のように、本実施の形態においては、内箱２あるいはランプケース１７の加工を工夫することで遮蔽部１６を構成し、複雑な構造のランプカバーが必要無くなり、より簡易な構成を実現することができる。
【産業上の利用可能性】
【００５０】
以上のように、本発明にかかる収納庫は、例えば、家庭用又は業務用冷蔵庫のような庫内照明を備えた電気製品を始め、扉のある物品貯蔵装置など庫内照明を適用する幅広い設備機器に応用できるものである。
【図面の簡単な説明】
【００５１】
【図１】本発明の実施の形態１における収納庫の平面断面図
【図２】図１のＡ−Ａ線断面図
【図３】本発明の実施の形態１における収納庫の扉を開けた状態の平面断面図
【図４】本発明の実施の形態２における収納庫の平面断面図
【図５】本発明の実施の形態２における収納庫の平面断面図
【図６】従来の冷蔵庫の側面断面図
【符号の説明】
【００５２】
１    外壁
２    内壁
３ａ断熱材
３ｂ  断熱材
４    断熱壁
５    外壁
６    扉
７    庫内照明
８    光源
９    基板
１０  収納棚
１１  使用者
１２  第一のランプカバー部
１３  第二のランプカバー部
１４  照射領域
１５  視認境界線
１６  遮蔽部
１７  ランプケース
【図１】
2008075935.tif 000003
【図２】
2008075935.tif 000004
【図３】
2008075935.tif 000005
【図４】
2008075935.tif 000006
【図５】
2008075935.tif 000007
【図６】
2008075935.tif 000008